Podtech/llm-jp-corpus-v4-ja_patent huggingface dataset:
(57)【要約】【課題】骨を抜いた手羽先肉の加熱調理の際におきる焼け縮みによる肉塊の変形を防ぎ食味が損なわれないようにする。【解決手段】加熱調理前にコの字形状の一辺である長串部を手羽先肉の先端部へ、さらに短串部を関節部付近へ刺すことにより、残りのもう一辺が加熱調理中に縮もうとするのを防ぐ。【選択図】図２
0003125413.tif 000002
【実用新案登録請求の範囲】
【請求項１】
骨を抜いた生の手羽先を串刺しする串具であって、長串部と短串部と手持ち部のコの字形状に形成したことを特徴とする串具。
【請求項２】
前記串部の基部に肉塊刺さり止めの突起を設けたことを特徴とする請求項１に記載の串具。
【考案の詳細な説明】
【技術分野】
【０００１】本考案は、加熱調理をおこなう骨を抜いた手羽先肉の肉塊形状を保持するための串具に関する。
【背景技術】
【０００２】これまで、手羽先肉から骨を抜くことは調理方法の一つとして既に用いられている。しかし、加熱調理の際におきる焼け縮みによる肉塊の変形を防ぐ串具は見当たらない
【考案の開示】
【考案が解決しようとする課題】
【０００３】本考案は、肉塊の変形により食味が損なわれないようにするもので加熱調理後においても形状の保たれた手羽先肉を提供するものである。
【課題を解決するための手段】
【０００４】本考案は、加熱調理前にコの字形状の一辺である長串部を手羽先肉の先端部へさらに短串部を関節部付近へ刺すことにより、残りのもう一辺が加熱調理中に縮もうとするのを防ぐ。
【考案の効果】
【０００５】本考案は、肉塊の形状とその食味において手羽先肉の質感を得ることができるものとなる。
【図面の簡単な説明】
【０００６】
【図１】手羽先肉の骨を抜いた状態の正面図。
【図２】本考案の串具を図１に示す手羽先肉の肉塊に刺した状態の正面図。
【符号の説明】
Ａ骨
Ｂ手羽先
Ｃ長串部
Ｄ短串部
Ｅ突起
Ｆ手持ち部
【図１】
0003125413.tif 000003
【図２】
0003125413.tif 000004
(57)【要約】【課題】本考案は財布等の高額商品を店頭にて展示する陳列具に関するものであり、盗難防止に優れたものである。【解決手段】  財布等の商品を載置する商品収納部が前後方向に複数連接し、前記商品に取り付け可能な留め具を一端に備えた連結具の他端を前記各商品収納部に連結した商品陳列具とする。【選択図】図１
0003125416.tif 000002
【実用新案登録請求の範囲】
【請求項１】
財布等の商品を載置する商品収納部が前後方向に複数連接し、前記商品に取り付け可能な留め具を一端に備えた連結具の他端を前記各商品収納部に連結したことを特徴とする商品陳列具。
【請求項２】
前記商品収納部が前板と底板と後板とから成る側面略凹字状であり、前方に隣接する商品収納部の後板と後方に隣接する商品収納部の前板とが連接したことを特徴とする請求項１記載の商品陳列具。
【請求項３】
前記連結具が金属、プラスチック等の紐状物であることを特徴とする請求項１又は２記載の商品陳列具。
【考案の詳細な説明】
【技術分野】
【０００１】  本考案は財布等の高額商品を店頭にて展示する陳列具に関するものであり、盗難防止に優れたものである。
【背景技術】
【０００２】  財布等の商品はその商品の性質から、消費者に直接手に取ってもらい質感を確認してもらったり、使い勝手を確認してもらうことは重要な販促要素である。従って、販売店の店頭において消費者に手に取ってもらうために効果的な展示を行うことも重要であることから専用の陳列具を用意して商品を陳列することも一般的に行われている。
一方で財布等の高額商品は盗難という問題も抱えている。従来の陳列具は１つの商品に１つの陳列具を設けており、大きさも財布と同等程度のものであり、例え商品と陳列具が紐等で連結されていたとしても商品と共に陳列具ごと盗難されてしまうという問題があった。
【考案の開示】
【考案が解決しようとする課題】
【０００３】  本考案は、上記問題点を解決するためになされたもので、商品を消費者に手にとってもらう展示方式を採用しながらも、盗難防止効果も同時に備えた商品陳列具を提供することを課題とする。【０００４】  本考案は、上記問題点を解決するためになされたもので、商品を消費者に手にとってもらう展示方式を採用しながらも、盗難防止効果も同時に備え、さらにディスプレイ効果にも優れた商品陳列具を提供することを課題とする。【０００５】  本考案は、上記問題点を解決するためになされたもので、商品を消費者に手にとってもらう展示方式を採用しながらも、盗難防止効果も同時に備え、さらに消費者が手に取って商品を確認する効果を高めた商品陳列具を提供することを課題とする。
【課題を解決するための手段】
【０００６】  財布等の商品を載置する商品収納部が前後方向に複数連接し、前記商品に取り付け可能な留め具を一端に備えた連結具の他端を前記各商品収納部に連結したことを特徴とする商品陳列具である。【０００７】  前記商品収納部が前板と底板と後板とから成る側面略凹字であり、前方に隣接する商品収納部の後板と後方に隣接する商品収納部の前板とが連接したことを特徴とする請求項１記載の商品陳列具である。【０００８】  前記連結具が金属、プラスチック等の紐状物であることを特徴とする請求項１又は２記載の商品陳列具である。
【考案の効果】
【０００９】  本考案の請求項１に係わる商品陳列具は、各商品収納部を複数個連結し、かつ各商品収納部と各商品とを連結具により一体としたために、１つの商品を盗難しようとしても陳列具全体を取り上げざる終えなくなり、１つの商品に対して陳列具全体の大きさが相当大きくなるため、その取り扱いが煩雑となり、また、隠し場所、収納場所にも困るため、結果として盗難を困難なものとする。また、以上のことは盗難しようとする人に対して目で見て直感的に判断できるために盗難に対する抑止力も働く。さらに、このような盗難防止効果を持ちながらも陳列具としての形態は店頭において優れたディスプレイ効果を得ることができる。【００１０】  本考案の請求項２に係わる商品陳列具は、請求項１の効果に加え、１枚の連続した板状物から容易に製造することができ、かつシンプルで高いディスプレイ効果を有すす。【００１１】  本考案の請求項３に係わる商品陳列具は、請求項１の効果に加え、連結具を紐状物とすることで、消費者は商品を陳列具から持ち上げ、近くで機能等を確認することができる。
【考案を実施するための最良の形態】
【００１２】  以下、図面を参照して、本考案の実施の形態を説明する。【００１３】  図１は本考案商品陳列具の斜視図であり、図２は同側面図である。前板１、底板２、後板３がそれぞれ連接した側面略凹字状の商品収納部４が前後方向に３個連接している。各商品収納部４は前方に位置する商品収納部４の後板３の上端と、後方に位置する商品収納部４の前板１の上端とが連接している。【００１４】  そして、各収納部毎に、先端に留め具５を有する紐状の連結具６の他端を一体的に連結する。該留め具は財布１０と一体となった部材である開封部分のつまみ１１に取り付けが可能である。【００１５】  本考案商品陳列具を使用する場合は、まず連結具の留め具を商品に取り付ける。そしてこの状態で各商品収納部に載置する。
消費者は目的の商品を手に取り、連結具の長さ分だけ手元に引き寄せ、機能等を確認することができる。
仮に、盗難しようとする場合は商品を盗難すれば陳列具自体も動いてしまい、しかも陳列具は商品に比べて大きいため、これを隠して持ち歩くことは困難となる。【００１６】  以上、本考案の１実施形態を説明したが、本考案はさまざまな形態を取る事が可能である。商品収納部の連接する数は自由に設定することができる。また、商品収納部の形状は上記実施例においては商品を傾けた状態で展示することを考慮して後板を後方に傾斜させているが、直立状態での展示を考慮する場合は後板を垂直に設ける等自由に設計できる。また、前方に位置する商品収納部の後板と後方に位置する商品収納部の前板を兼用した１枚の板状物とすることもできる。また、商品収納部の左右にも板を設け、商品収納部を箱状物とすることもできる。【００１７】前記連結具は、材質を金属製の鎖、プラスチック製の紐状物等自由に設定できる。また、先端の留め具は商品と着脱自在とすることもできるが、盗難防止効果を高めるためには容易には着脱できないものとすることが好ましい。また、連結具と商品収納部との取り付けは、連結部を商品収納部に設けた孔に直接結びつけることもできるし、連結具に留め具を設けて取り付けることもできる。この場合も商品収納部と連結部とは着脱自在とすることはできるが、盗難防止効果を高めるためには容易には着脱できないものとすることが好ましい。連結具を取り付ける商品の部材も、商品に一体的に取り付けられた金具でも良いし、商品に付けた値札に取り付けることもできるし、あるいは値札を取り付ける紐状物に取り付けることもできる。
【図面の簡単な説明】
【００１８】
【図１】本考案の実施例に係わる斜視図
【図２】本考案の実施例に係わる側面図
【符号の説明】
【００１９】１  前板
２  底板
３  後板
４  商品収納部
５  留め具
６  連結具
【図１】
0003125416.tif 000003
【図２】
0003125416.tif 000004
(57)【要約】【課題】  下網の開口面積が小さいために下網全体で均一な湧昇水流の発生が妨げられ、注水用水はさけます孵化槽前部壁板に衝突してから上昇水流に成るために、さけます孵化槽前部卵だけが常に流動又は振動する状況であり、衝撃や振動に極めて弱いさけます卵にとって悪環境にさらされていた。また、前記のことにより全く用水が行き届かない死水帯が発生し、酸素摂取が出来なくなってさけます卵の生育に悪影響を及ぼしていた。【解決手段】  ボックス式孵化槽２に対して脱着自在に構成された下網本体１の網板に特殊開口形状を施し適正配置されたさけます孵化槽用下網であり、用水の余剰気泡を吸着することを防いで適正湧昇流を発生させることを特徴としたさけます孵化槽用下網で、収容したさけます卵に対して常に新鮮用水を提供して正常育成を促すことができる。【選択図】図１
0003125415.tif 000002
【実用新案登録請求の範囲】
【請求項１】
ボックス式孵化槽２に対して脱着自在に構成された下網本体１の外周辺に、当該ボックス式孵化槽２の内壁に対してパッキン作用を有する軟質ヒレ１Ｂを添設せしめ、網板が小判型を有した長穴にて開口し千鳥配置せしめて、下網面積に対して開口率６０％に開口したことを特徴としたさけます孵化槽用下網。
【請求項２】
ボックス式孵化槽がアトキンス式増収型孵化槽である請求項１記載のさけます孵化槽用下網。
【考案の詳細な説明】
【技術分野】
【０００１】  本考案は、さけます等の魚卵を人工孵化させる際に用いるさけます孵化槽において、脱着自在に構成された下網に関する物である。
【背景技術】
【０００２】  さけます孵化槽において、硬質塩化ビニールの材質で脱着自在に構成された下網（卵受網）が装着されており、注水用水は高酸素水（曝気処理水）又は河川水を用いて行われ、余剰気泡と共にさけます孵化槽に注水されていた。
【考案の開示】
【考案が解決しようとする課題】
【０００３】  従来の技術で述べたものにあっては、下記のような問題点を有していた。
下網の開口面積が小さいために下網全体で均一な湧昇水流の発生が妨げられ、注水用水はさけます孵化槽前部壁板２Ａに衝突してから上昇水流に成るために、さけます孵化槽前部卵Ｒだけが常に流動又は振動する状況であり、衝撃や振動に極めて弱いさけます卵にとって悪環境にさらされていた。また、前記のことにより全く用水が行き届かない死水帯が発生し、酸素摂取が出来なくなってさけます卵の生育に悪影響を及ぼしていた。【０００４】  酸素摂取出来なくなったさけます卵はやがて死に、その死卵は水生菌発生の原因となり、他のさけます卵に順次転移して蔓延した場合には全滅することがある。それを防ぐには死卵を除去すれば良いが、さけます孵化槽内の多量のさけます卵の中から死卵だけを除去することは不可能である。【０００５】  下網の開口部に注水用水による気泡が吸着し、その気泡が成長して下網底面を覆い尽くすようになり湧昇流は妨げられ、さけます孵化槽前部卵Ｒだけが常に流動又は振動して、卵の生育に悪影響を及ぼしていた。
【課題を解決するための手段】
【０００６】  本願は、従来の技術の有するこのような問題点に鑑みなされたものであり、その目的とするところは、つぎに掲げるようなことができるものを提供使用とする物である。
すなわち、本願のものは、注水による余剰気泡が吸着できない大きさの開口を設けて、孵化槽内に適正湧昇流を発生させるように工夫したものである。【０００７】  ボックス式孵化槽２に対して脱着自在に構成された下網本体１の網板に小判型を有する長穴形状を施し、その開口を千鳥配置して下網面積に対して開口率６０％としたさけます孵化槽用下網である。また、ボックス式孵化槽がアトキンス式孵化槽の場合にも適用できる。
【考案の効果】
【０００８】  本願によるさけます孵化槽用下網ににより、注水による余剰気泡は吸着することなく上昇し、適正湧昇流の発生によりさけます孵化槽に収容された生卵に対して均等に新鮮高酸素用水を提供し、いわゆる死水帯を発生させることなくすることができ、一部のさけます卵に対して流動又は振動を発生させることなく、正常生育を促すことができる。
【考案を実施するための最良の形態】
【０００９】  ボックス式孵化槽に高酸素処理水又は河川水を毎分当たり４０リットルから毎分当たり５０リットルを注水し、さけます孵化槽用下網をボックス式孵化槽の所定場所２Ｂ及び２Ｂ２及び２Ｂ３に設置し、さけます卵を４０万粒から５０万粒投入して使用実施する。【００１０】  アトキンス式孵化槽にあっては用水量を毎分当たり３０リットルから毎分当たり４０リットルに調整し、さけます卵３０万粒から４０万粒投入して使用実施する。
【実施例】
【００１１】  実施例について添付図面に従って説明する。
１は本案のさけます孵化槽用下網で、ボックス式孵化槽２に対して脱着自在に構成された硬質塩化ビニールで構成された下網本体１Ａとこの下網本体１Ａの外周辺に添設された軟質塩化ビニール製のヒレ１Ｂとから構成されている。この下網本体１は、長方形の硬質塩化ビニール板１Ａに長穴１Ａ２が所定の開口面積及び所定の配置により開設されている。長穴１Ａ２の寸法は幅５．０ｍｍで長さ２０．０ｍｍであり、小判型形状を有しておりその配列は千鳥配置にて、短辺繰り返し寸法は７．０ｍｍであり、長辺繰り返し寸法は２６．０ｍｍに配置されている。この開口及び配置によって余剰気泡の吸着は確認できず、ボックス式孵化槽内に均一な湧昇流を発生させた。
【図面の簡単な説明】
【００１２】
【図１】使用状態を示す全体の１部を欠いた実施例を示す斜視図である。
【図２】同上の実施例を示す縦断面図である。
【図３】さけます孵化槽用下網の要部拡大斜視図である。
【図４】さけます孵化槽用下網の開口部拡大平面図である。
【図５】従来の使用におけるさけます卵の概要を示す縦断面図である。
【図６】アトキンス式孵化槽の平面図である。
【図７】アトキンス式孵化槽の縦断面図である。
【符号の説明】
【００１３】    １      さけます孵化槽用下網
１Ａ    硬質塩化ビニール板
１Ａ２  長穴
１Ｂ    軟質塩化ビニール製ヒレ
２      ボックス式孵化槽
２Ｂ    下網受前部レール
２Ｂ２  下網受後部レール
２Ｂ３  下網受コマ
３      アトキンス式孵化槽
３Ａ    アトキンス式孵化槽用下網
Ｒ      さけます卵
Ｐ      長辺繰り返し寸法
Ｈ      短辺繰り返し寸法
Ｗ      開口長辺寸法
Ｄ      開口短辺寸法
【図１】
0003125415.tif 000003
【図２】
0003125415.tif 000004
【図３】
0003125415.tif 000005
【図４】
0003125415.tif 000006
【図５】
0003125415.tif 000007
【図６】
0003125415.tif 000008
【図７】
0003125415.tif 000009
(57)【要約】【課題】長期に石英玉の効果が確保される石英玉の被覆構造を提供する。【解決手段】ハウジングと少なくとも一つの石英玉と突出環が含有され、ハウジングは対称のケースからなり、蓋い合われると、石英玉を収納するための少なくとも一つの玉室が形成され、少なくとも一つの玉室の内面に凹槽が形成され、ある程度の強度を有する一体成型の環状突出環は石英の最大径に圧迫され、上記玉室の凹槽に収納され、突出環により石英玉が環状圧迫の状態に保持される。【選択図】図２
0003125491.tif 000002
【実用新案登録請求の範囲】
【請求項１】
少なくとも一つの石英玉と、突出環と、石英玉を収納する少なくとも一つの玉室を有するハウジングとが含有される石英玉の被覆構造であって、
当該ハウジングに、少なくとも一つの帯環が形成され、当該玉室の内面に、凹槽が形成され、当該突出環が、ある程度の強度を有する一体成型の環状部材で、石英玉の最大径に圧迫され、当該玉室の凹槽に収納される、ことを特徴とする石英玉の被覆構造。
【考案の詳細な説明】
【技術分野】
【０００１】
本考案は、石英玉の被覆構造に関し、特に、突出環により石英玉を環状圧迫状態に保持して、石英玉の被覆作用を確保できる石英玉の被覆構造に関する。
【背景技術】
【０００２】
従来の石英玉の被覆構造は、ケースと少なくとも一つの石英玉とが含有され、当該ケースは、少なくとも一つの玉室があり、当該玉室の内面に、環状突出が形成され、また、その環径が石英玉の外径よりやや小さく、当該石英玉が玉室に収納されて蓋い合われると、当該環状突出が、石英玉の周りに環形圧迫し、また、当該石英玉が互いに抵当し、突出により石英玉に圧迫する圧力と、石英玉が互いに抵当することにより、石英玉が、同じ電流方向に、安定な固定電荷と周波数を釈放でき、これにより、電源電流が安定になり、電気回路のパルスとノイズによる不良影響を低減でき、走行時のマイコロコンピュータの作動の安定性が改善され、燃料の消耗を低下する効果が得られる。
【０００３】
しかしながら、上記の構造によれば、エンジン室に実装されると、ケースが、熱膨張冷収縮の影響により、環状突出の圧力が変化し、また、材料が、長期に高温の影響により、疲れになって変形することにより、突出が石英玉に圧迫する圧力が少しずつ小さくなり、石英玉の効果が低減される。
【考案の開示】
【考案が解決しようとする課題】
【０００４】
本考案の主な目的は、実装が容易で、突出環により石英玉を環状圧迫することにより、環境の影響をほぼ受けず、石英玉の初期の設置状態を保持できる石英玉の被覆構造を提供する。
【課題を解決するための手段】
【０００５】
本考案は、少なくとも一つの石英玉と、突出環と、石英玉を収納する少なくとも一つの玉室を有するハウジングとが含有される石英玉の被覆構造であって、当該ハウジングに、少なくとも一つの帯環が形成され、当該玉室の内面に、凹槽が形成され、当該突出環が、ある程度の強度を有する一体成型の環状部材で、石英玉の最大径に圧迫され、当該玉室の凹槽に収納される、ことを特徴とする石英玉の被覆構造である。
【考案を実施するための最良の形態】
【０００６】
図１乃至３を参照しながら、主として、ハウジング１と少なくとも一つの石英玉２及び突出環３とが含有され、当該ハウジング１は、二つの石英玉２を収納できる対称のケースからなり、蓋い合われると、二つの玉室１１が形成され、その一つの玉室１１の内面に、凹槽１１１が形成され、当該凹槽１１１が設けられる玉室１１は、突出環３を有する石英玉２を収納し、また、ハウジング１の外側に、更に拘束帯を固定するための複数の帯環１２が設けられる。
【０００７】
上記の突出環３は、ある程度の強度を有する一体成型の環状部材であり、その内径が、石英玉２の最大径よりやや大きく、治具で当該突出環３を石英玉２の最大径に圧迫することにより、石英玉２に対して環状圧力を印加することを保持し、また、当該二つの石英玉２が玉室１１に収納されて、蓋い合われると、当該環状凹槽１１１の軸方向に配列する二つの石英玉２が、互いに抵当するようになり、本考案は、最後に、拘束帯を帯環１２に通してバッテリの負極端に固定すると、実装が完成される。
【０００８】
当該突出環３により、外部環境の影響を受けず、石英玉２が確実に環状圧力を印加する状態に保持でき、ハウジング１は、組み立てた後、更に、超音波等の加工技術により、閉鎖空間になり、当該石英玉２が、圧迫状態で、電源コード磁界による影響により、突出環３の軸方向において、安定持性を有する電磁発振磁界が形成され、この効果により、電気回路のノイズが低減され、回路電流の電荷安定性が向上され、有効に走行時のマイコロコンピュータの作動の安定性を改善し、そして、スロットルの鋭敏比とエンジン駆動力が向上され、燃料の消耗を低下する効果が得られる。
【０００９】
本考案は、次のような利点が得られる。
【００１０】
１、突出環により、石英玉が、環状圧迫により最も理想の状態になり、石英玉の効果が向上される。
【００１１】
２、本考案は、実装が簡単で、車体の設計を変更せず、ユーザーが、自分でも簡単に実装できる。
【図面の簡単な説明】
【００１２】
【図１】本考案の外観参考図
【図２】本考案の立体分解概念図
【図３】本考案の構造断面概念図
【符号の説明】
【００１３】
１          ハウジング
１１        玉室
１１１      凹槽
１２        帯環
２          石英玉
３          突出環
【図１】
0003125491.tif 000003
【図２】
0003125491.tif 000004
【図３】
0003125491.tif 000005
(57)【要約】    【課題】毛束の巻き付けを容易にするとともに、断熱シートを用いる必要がないパーマネント用ロッドを提供する。    【解決手段】本考案は、通電後に高熱を発する小型棒状のパーマネント用ロッドを提供するものであり、これは髪を一定時間ロッド表面に巻き付けてウエーブをセットするためのもので、ロッド本体２の外周にテーパー状の刺２４を形成することにより、髪の巻き付けを容易にし、かつ高温のロッド本体２と地肌が直接触れるのを防ぐことができるシンプルな設計で取扱性に優れたパーマネント用ロッドである。【選択図】図５
0003125290.tif 000002
【実用新案登録請求の範囲】
【請求項１】
通電により熱を発する電熱体をロッド本体に設け、巻き付けた髪を固定する固定歯をロッド本体の両端に設けた棒状のパーマネント用ロッドにおいて、
前記ロッド本体の外周に複数のテーパー状の刺を密に形成し、前記ロッドに髪を巻き付け易く、かつ断熱可能としたことを特徴とするパーマネント用ロッド。
【考案の詳細な説明】
【技術分野】
【０００１】
本考案は、パーマネント用具、特にパーマネント用ロッドに関するものである。
【背景技術】
【０００２】
髪型に所望のウエーブ形状を付与する方法はパーマネントと呼ばれ、パーマネントには加熱して髪にウエーブをセットする手段を用いている。例えば電源で加熱する場合には、まず髪を複数の小さな毛束に分けて、通電により高熱を発する小円形棒に一束ずつ巻き付け、一定時間おくと髪にウエーブがセットされる。業界ではこのように通電によって高熱を発する小円形棒をロッドと呼び、本考案の設計はこのようなロッドの改良に関するものである。
【０００３】
図１は従来のロッドの正面図であり、図２，３はそれぞれ従来のロッドの左，右側面図であり、図４は図１の４−４線断面図である。従来のロッドは、図１〜４に示すように、概ね、ロッド本体１が長さ１０ｃｍ程度の小円形棒状で、その横方向断面の直径が約１．２ｃｍであるが、これらの寸法は髪に付与しようとするウエーブの程度によって決まる。ロッド本体１の両端には、いくつかの歯状の固定歯１１が設けられ、毛束をロッド本体１に巻き付けた後、両端の固定歯１１間に耐熱性の固定コイルを掛けて髪が散らないようにする。そして、ロッド端部のソケット１２に電源プラグを挿し込んで約２４ボルトの低圧電流を流すと、ロッド本体中央の電熱体１３が１４０℃から２００℃に設定された熱を発し、３０分程度経過すると、ロッドの外周部に応じてロッドに巻かれた毛束にウエーブがセットされる。
【考案の開示】
【考案が解決しようとする課題】
【０００４】
このような従来のロッドには、２つの大きな欠点がある。一つめは、ロッド本体が滑り易いので毛束をロッド本体にきつく巻くことが難しく、所望の髪型に大きく影響することである。二つめは、ロッド本体１の温度は常に１４０℃以上あるので、地肌に触れると熱による痛みのほかダメージを与えることもあるため、毛束の根元に断熱シートをあてる必要があるが、これは巻き付け作業時に不都合で時間の浪費でもある。本考案のロッドは、これらの欠点に鑑みて創作されたものである。
【課題を解決するための手段】
【０００５】
本考案は、通電により熱を発する電熱体をロッド本体に設け、巻き付けた髪を固定する固定歯をロッド本体の両端に設けた棒状のパーマネント用ロッドにおいて、
前記ロッド本体の外周に複数のテーパー状の刺を密に形成し、前記ロッドに髪を巻き付け易く、かつ断熱可能としたことを特徴とするものである。
【考案を実施するための最良の形態】
【０００６】
添付図面を参照して、本考案のロッドの構造及び効果を次のとおり説明する。
図５は、本考案の一実施形態であるパーマネント用ロッドの斜視図、図６はその正面図、図７，８はそれぞれ、その左，右側面図、図９は図６の９−９線断面図である。本考案の最大の特徴は外形の設計にあり、ロッド本体２の外周に、ハリネズミのようにテーパー状の刺２４を密に形成し、これによって小さな毛束にウエーブを付与する時間を簡単に節約でき、しかも簡単にきつく巻き付けることもできる。髪を巻き付けた後、従来同様にロッド両端の固定歯２１間に耐熱性の固定コイルを掛けて髪が散らないようにし、そしてソケット２２に２４ボルトのプラグを挿し込むと電熱体２３が１４０℃以上の熱を発し、一定時間経過すると、髪にウエーブがセットされる。本考案のロッドに用いる温度は従来のものと同じであるが、地肌に触れるのは刺２４の先端で、この刺２４は耐熱物質で製造されていて伝熱性は高くないため、先端の温度は４０℃以下に保たれる。したがって、地肌に不快感やダメージを与えることがないので、断熱シートを用いる必要がなく、取り扱いが非常に簡単である。本考案のロッドは、ロッド本体２の外周に刺２４を密に設けたこと以外は、加熱方式や構造に従来のロッドとの違いはないが、外周に刺２４を密に設けたことにより髪をきつく巻き付けることができ、またその取り扱いも容易で、多くの手間と時間を省くことができる。
【０００７】
図５から図９に示すように、本考案のロッドの構造は、図１に示すような従来のロッド本体の外周に耐熱物質からなる刺を密に形成してなるものである。
【図面の簡単な説明】
【０００８】
【図１】従来のロッドの正面図である。
【図２】従来のロッドの左側面図である。
【図３】従来のロッドの右側面図である。
【図４】図１における４−４線断面図である。
【図５】本考案の一実施形態のロッドの斜視図である。
【図６】図５に示すロッドの正面図である。
【図７】図５に示すロッドの左側面図である。
【図８】図５に示すロッドの右側面図である。
【図９】図６における９−９線断面図である
【符号の説明】
【０００９】
１  ロッド本体
１１  固定歯
１２  ソケット
１３  電熱体
２  ロッド本体
２１  固定歯
２２  ソケット
２３  電熱体
２４  刺
【図１】
0003125290.tif 000003
【図２】
0003125290.tif 000004
【図３】
0003125290.tif 000005
【図４】
0003125290.tif 000006
【図５】
0003125290.tif 000007
【図６】
0003125290.tif 000008
【図７】
0003125290.tif 000009
【図８】
0003125290.tif 000010
【図９】
0003125290.tif 000011
(57)【要約】【課題】今、子供の不眠が深刻である。ボケーとしている子、イライラ攻撃的ですぐキレる子、疲労し気分がめいりぐずる子など寝不足による症状が目立っている。夜更かし、寝不足は小兒肥満の危険因子であり脳の発育にも影響し、学習能力に深く係っている。寝かせない理由は寝かしつけるのに時間がかかるからである。この拘束時間を短縮し問題を解決するものである。この問題は少子化問題との関係も深い。【解決手段】本考案は、ペンギン形動物人形へ着脱自在とした三体の口ばし（ペンギン様口ばし・はけ様口ばし・毛筆様口ばし）を装着し、これを用いて添い寝した子の頭顔面部の皮膚（リラックスに効果のあるツボ（経穴）など）へ、軽く叩く・揉むように撫でる・掃くように撫でるなどの皮膚刺激により子供の脳へ働きかけ早い眠気を誘うものである。動物人形とのスキンシップによる相乗効果で誘眠効果は高く、おねんねペンキン人形は役立つ。【選択図】図１
0003125204.tif 000002
【実用新案登録請求の範囲】
【請求項１】
（イ）口ばし部を着脱自在としたペンギン形動物人形
（ロ）口ばしは、ペンギン形の普通の口ばし・はけ様口ばし・毛筆様口ばしの３体セットとし、いずれも着脱自在として一体は口ばし部へ、他の二体は尾羽部へ装着しておく。
以上のごとく構成された「おねんねペンギン人形」。
【考案の詳細な説明】
【技術分野】
【０００１】  本考案は、ペンギン形動物人形の口ばし部分を着脱自在とし、口ばし三体セット（ソフトタッチのペンギン様口ばし・はけ様口ばし・毛筆様口ばし）を人形本体に装着した「おねんねペンギン人形」に関するものである。
【背景技術】
【０００２】  従来、動物人形は一般的には子供たちの愛玩具又は装飾品の一部に過ぎなかった。
【考案の開示】
【考案が解決しようとする課題】
【０００３】  今、子供の不眠が深刻である。ボケーとしている子、イライラ攻撃的ですぐキレる子、疲労し気分がめいりぐずる子など寝不足による症状が目立っている。日本の子供たちの平均就寝時刻は、乳幼児で午後１０時、１〜３歳児で９時３０分、３歳児は過半数が１０時以降も起きている（日本小児保健協会）。園児や学童も同様であろう。最近では夜更かし、寝不足は小児肥満の危険因子であることも確認されている。脳の発育にも影響し、学習能力に深く係っている。ではなぜ親は早く寝かせないのか。その理由は寝かしつけるのに時間がかかるからである。遊びに夢中になった子はなかなか眠れない。ある親は４歳児を寝かしつけるのに添い寝して３０分間かかり、その気にならないと出来ませんと話す（讀賣新聞２００５年４月２９日・医療ルネサンス・不眠大国の処方せん）。家事に追われた忙しい時間帯の寝かし付けは母親にとって大きな負担となっている。このような現状から子供を寝かしつけるための拘束時間を短縮し問題を解決するものである。この問題は少子化問題とも大いに関係している。
【課題を解決するための手段】
【０００４】  本考案は、ペンギン形動物人形に装着した三体の口ばし部を取り替えながら使用して、添い寝した子の顔面部や頭部の皮膚又は皮膚上のツボ（東洋医学の経穴）へ、いわゆる中国医学の小児按摩技術を応用してトントントンと軽く叩く、揉むように撫でる・掃くように撫でるなどの皮膚刺激をあたえることにより、その刺激を通じて子供の脳へはたらきかけ眠気を誘うものである。動物人形とのスキンシップ効果及び子供の頭顔面部へ密集している鎮驚安神（驚きを鎮め脳の不安を除く）のツボへの刺激効果との相乗作用による誘眠効果は高い。手足の甲や掌及び爪の周りへの刺激でも効果がある。小児の大脳皮質は刺激に対する感受性が大人よりもはるかに強い。それは刺激に対して順応が不十分であるため、多種多様の刺激に対して常に新鮮な感受性を有しているからである。スキンシップによる刺激は小児の身体発育及び精神の発達に強い影響を与えることはよく知られている。ペンギン人形を使用するのは、かわいい動物とふれあい遊びながら動物との蝕感覚でゆったりとした気持ちでよりよい眠りに入る効果を考慮したためである。子供は心地よい眠りがほしいので添い寝は母でなくても誰でもよいのである。
【考案の効果】
【０００５】  上述のように簡単な操作で、心身ともに良好な状態での早い寝つきが約束できる。
（イ）子供の寝つきが早くなり拘束時間が短縮される。
（ロ）誰でも出来る。
（ハ）いつでも、どこでも出来る。
（ニ）使用上安全である。
（ホ）子供の夜鳴きの予防と発症時の治療にも効果がある。
【考案を実施するための最良の形態】
【０００６】  本考案の実施形態を説明する。
ペンギン形動物人形の形態は、口ばし部分を着脱自在とし、ペンギン様口ばし・はけ様口ばし・毛筆様口ばしの三体をペンギン本体に装着する。口ばしは適宜取り替えて使用するため着脱が片手で簡単にできるよう磁石による接着式とする。取り替え用のくちばしは取替えに便利なようにまた紛失防止のため尾羽部分に装着しておく。ペンギン動物人形は皮膚タッチするための形状や可愛いらしさから適しており、大きさは手の中で操作しやすい程度とする。口ばしの使用方法は、当初、子供に話しかけながらペンギン様口ばしでトントントンと軽く叩くように撫でるように愛撫し、次は他のいずれかを使用しながら愛撫して誘眠して行くものである。
【実施例】
【０００７】  以下、図面従って実施霊を説明する。ペンギン人形の口ばしを三体作成する。一つは先が丸みのある円錐型のペンギン様口ばしでソフトタッチの弾力性のある子供の皮膚を軽く叩いても安全なものとする。二つ目ははけ様口ばしで一センチほどの幅を有したもので皮膚を掃くように操作し羽毛のようなソフト感のあるものとする。三つ目は丸型の毛筆様口ばしで皮膚を円を描くように揉んだり掃くように操作したりするソフト感のあるものとする。ペンギン本体の口ばし部は口ばしを着装できるよう作成し、使用しない他の二体の口ばしを本体尾羽部分に二体並べて着装できるように作成する。着装方法は本体または口ばし部あるいは両者に接着力のある磁石を取り付けて対処する。本体の口ばし部は操作使用に耐えるよう尾羽部分より幾分接着力を強くする。
【図面の簡単な説明】
【０００８】
【図１】本考案のおねんねペンギン人形の外観斜視図である。
【符号の説明】
【０００９】    １  ペンギン人形本体
２  ペンギン様口ばし
３  はけ様口ばし
４  毛筆様口ばし
【図１】
0003125204.tif 000003
【手続補正書】
【提出日】平成18年6月28日(2006.6.28)
【手続補正１】
【補正対象書類名】明細書
【補正対象項目名】０００７
【補正方法】変更
【補正の内容】
【０００７】  以下、図面に従って実施例を説明する。ペンギン人形の口ばしを三体作成する。一つは先が丸みのある円錐型のペンギン様口ばしでソフトタッチの弾力性のある子供の皮膚を軽く叩いても安全なものとする。二つ目ははけ様口ばしで一センチほどの幅を有したもので皮膚を掃くように操作し羽毛のようなソフト感のあるものとする。三つ目は丸型の毛筆様口ばしで皮膚を円を描くように揉んだり掃くように操作したりするソフト感のあるものとする。ペンギン本体の口ばし部は口ばしを着装できるよう作成し、使用しない他の二体の口ばしを本体尾羽部分に二体並べて着装できるように作成する。着装方法は本体または口ばし部あるいは両者に接着力のある磁石を取り付けて対処する。本体の口ばし部は操作使用に耐えるよう尾羽部分より幾分接着力を強くする。
(57)【要約】【課題】  本考案は、紙垂（しで）をしめ縄の縁り目に挟み止める作業において、簡単且つスピーディーに、しかも指先の爪割れ防止など安全に作業ができることを目的とする。【解決手段】  課題を解決するために、紙垂通し針を用いる。当針は、先端を尖らせた板状の針で、後端部に割れ目を設けている。この割れ目にあらかじめ紙垂の頭部を挟み込んでおき、縄の縁りを少し戻して先端から縄を刺し通す。針が縄を通り抜けると同時に縄の縁りが戻って紙垂が挟み止るため、縄の縁り目に直接手で紙垂を差し込む必要が無くなる。【選択図】図１
0003125209.tif 000002
【実用新案登録請求の範囲】
【請求項１】
縄の縁り目から縄を刺し通せるように先端を尖らせ、後端部に紙垂の頭部を挟み込むための割れ目を設けた細長い板状の紙垂通し針。
【考案の詳細な説明】
【技術分野】
【０００１】  本考案は、紙垂の頭部をしめ縄の縁り目に挟み止めて垂れ下げるための針に関するものである。
【背景技術】
【０００２】  従来、しめ縄に紙垂を付ける方法としては、縄を両手で持ちながら縄の縁りを十分に戻して隙間を開け、そこに片方の手で紙垂の頭部を差し込んでいた。しかし、縄の縁りが硬い場合には縁り戻しが容易ではなく、紙垂の数が多い場合にはかなりたいへんな作業となっていた。しかも、冬季など寒い時には指先の自由がきかなくなりなおさらである。さらには爪を割るなどの危険性も生じ、作業が容易にできなくなることも多い。
【考案の開示】
【考案が解決しようとする課題】
【０００３】  本考案は、以上のような問題点を解決するためになされたものであり、紙垂をしめ縄に付ける作業において、簡単且つスピーディーに、しかも安全に作業ができるようにすることを目的とする。
【課題を解決するための手段】
【０００４】  そこで、手で直接縄の縁り目に紙垂を差し込まなくてもよい方法として、紙垂通し針を考案した。
本考案は、縄の縁り目を刺し通せるように先端を尖らせ、後端部に紙垂の頭部を挟み込むための割れ目を設けた細長い板状の針である。これを使用するときは、まず後端部の割れ目に紙垂の頭部を挟み込んでおき、縄の縁りをわずかに戻して先端から縄を刺し通す。当該針が縄を通り抜けると同時に縄の縁りが戻って紙垂が挟み止る。
【考案の効果】
【０００５】  よって、本考案による紙垂通し針を用いれば、しめ縄に紙垂を付ける作業において、縄の縁りを強く戻す必要が無く、戻した縁り目に手で直接紙垂を差し込む必要も無くなり、作業が容易に且つスピーディーに行え、しかも爪割れが防げるなど指先の危険性を防止することができる。
【考案を実施するための最良の形態】
【０００６】  本考案に係る紙垂通し針は、図１に示すように先端を尖らせた板状の針であり、後端部に紙垂の頭部を挟み込むため、板厚のほぼ中央部で上下に分かれるように割れ目を設けている。
紙垂通し針の大きさは、縄の縁り目を刺し通せる範囲で自由である。
端部の割れ目の長さは、紙垂が容易に差し挟みできる範囲で自由である。
後端部の形状は自由であるが、本図では、紙垂の頭部が容易に挟み込みできるよう、上下それぞれの対角となる内側の三角形部分をカットして矢尻形にしてある。
材質は、縄の縁り目を刺し通せ、且つ縁り戻しの力で曲がらない程度の硬度を有し、後端部の割れ目で紙垂を挟み込みできる弾性を有する範囲で自由である。
【図面の簡単な説明】
【０００７】
【図１】  本考案による紙垂通し針の平面図である。
【図２】  後端部の割れ目を少し開いた状態の側面図である。
【符号の説明】
【０００８】  ａ    紙垂通し針の本体
ｂ    先端部
ｃ    後端部
ｄ    割れ目
ｅ    割れ目の長さ
【図１】
0003125209.tif 000003
【図２】
0003125209.tif 000004
(57)【要約】【課題】  本考案はワイシャツに、ネクタイの機能を果たす折り返しネクタイ代替部を設け、従来のワイシャツのネクタイを締めないことによって生ずる欠点と、締めることによって生ずる欠点とを解決する。【解決手段】  本考案はワイシャツ１に折り返しネクタイ代替部２を設け、当該折り返しネクタイ代替部２を左前身頃５側に外側に折り返して鉤ホック９を鉤ホック受け金１０に留めて、ネクタイの代替として形成、デザインすることで、ワイシャツとネクタイを一体化して、ネクタイを締めないことによって生ずる欠点と、締めることによって生ずる欠点とを解決している。【選択図】図１
0003125210.tif 000002
【実用新案登録請求の範囲】
【請求項１】
上前立ての上端を、その直上の台襟前部を占有するように上方に延長するとともに、延長した部分を含む上前立ての前端を右前身頃側に延長して、上前立てから張り出すように折り返しネクタイ代替部を形成し、当該折り返しネクタイ代替部を左前身頃側に外側に折り返して、ネクタイの代替としたことを特徴とするワイシャツ。
【考案の詳細な説明】
【技術分野】
【０００１】  本考案は、上前立ての右前身頃側の前端に、ネクタイの機能の代替となる折り返しネクタイ代替部を設けたワイシャツに関するものである。
【背景技術】
【０００２】  従来、男性が仕事をする上で礼儀を正した服装として、ワイシャツの首周りにネクタイを締めることが定着している。
【考案の開示】
【考案が解決しようとする課題】
【０００３】  ネクタイを締める習慣は、ネクタイを締めないと相手に失礼であると見られたり、ネクタイというアクセントが無いと、だらしがないという印象を与えてしまうことが多いので、礼儀を正した服装として長く続いている。ネクタイは結び目が曲がったり緩んだりしないよう常にしっかりと強く締めているが、身体を動かすと曲がったり緩んだりするので、その都度曲がりや緩みを直さなければならないし、強く締めているために首周りに圧迫感があり窮屈に感じる。特に気温と湿度が高い場合には、首周りの発汗が妨げられて暑苦しい不快感を一層感じる。また、ネクタイは別に購入するのでその分費用が掛り、ネクタイを締める手間と時間も掛る。従って、ワイシャツにネクタイの機能の代替になる部分を設けて、ワイシャツとネクタイを一体化することにより、前述のネクタイを締めないことによって生ずる欠点と、締めることによって生ずる欠点とを解決しようとするものである。
【課題を解決するための手段】
【０００４】  本考案は、上前立ての上端を、その直上の台襟前部を占有するように上方に延長するとともに、延長した部分を含む上前立ての前端を右前身頃側に延長して、上前立てから張り出すように折り返しネクタイ代替部を形成し、当該折り返しネクタイ代替部を左前身頃側に外側に折り返して、ネクタイの代替として形成、デザインすることで、ワイシャツとネクタイを一体化して、前述の課題であるネクタイを締めないことによって生ずる欠点と、締めることによって生ずる欠点とを解決している。
【考案の効果】
【０００５】  前述のように、本考案のワイシャツは従来のワイシャツの機能を備えていることはもちろん、新たに設けた折り返しネクタイ代替部は、折り返すことによって上前立てを覆うように重なり、ネクタイの機能であるアクセントと質感を代替して形成するので、ネクタイを締めないことによって生ずる欠点と、ネクタイを締めることによって生ずる欠点を共に解消することができる。
【考案を実施するための最良の形態】
【０００６】  従来のワイシャツと同様に前部をボタン等適宜留め具で留めたあと、折り返しネクタイ代替部を左前身頃側に外側に折り返して鉤ホック等適宜留め具で留める。ネクタイ代替部は折り返すことによって上前立てを覆うように重なり、従来のネクタイの機能であるアクセントと質感を代替して形成する。
【実施例】
【０００７】  以下、添付図面に従って一実施例を説明する。本考案のワイシャツ１は、従来のワイシャツと同様にボタン７以下のボタンをボタン孔８以下のボタン孔にそれぞれはめて前面を留めたあと、右前身頃４側に張り出している折り返しネクタイ代替部２を折り返し線１１に従って左前身頃５側に外側に折り返し、鉤ホック９以下の鉤ホックを鉤ホック受け金１０以下の鉤ホック受け金にそれぞれ留めることにより、折り返しネクタイ代替部２は上前立て３Ａを覆うように重なり、従来のネクタイの機能であるアクセントと質感を代替して形成する。【０００８】  請求項１に記載のとおり、本考案のワイシャツ１Ａは上前立ての上端を、その直上の台襟前部を占有するように上方に延長してあるので、図１に示すとおり上前立て３Ａと台襟６Ａそれぞれは、図３に示した従来のワイシャツ１Ｂの、従来のワイシャツの上前立て３Ｂと従来のワイシャツの台襟６Ｂそれぞれとは形状、縫合部が異なっている。
【図面の簡単な説明】
【０００９】
【図１】本考案のワイシャツの一実施例で、上襟の一部を折り曲げた状態を示す正面図である。
【図２】本考案のワイシャツの一実施例で、折り返しネクタイ代替部を折り返した状態を示す正面図である。
【図３】従来例を示す正面図である。
【符号の説明】
【００１０】  １Ａ  本考案のワイシャツ
１Ｂ  従来のワイシャツ
２    折り返しネクタイ代替部
３Ａ  上前立て
３Ｂ  従来のワイシャツの上前立て
４    右前身頃
５    左前身頃
６Ａ  台襟
６Ｂ  従来のワイシャツの台襟
７    ボタン
８    ボタン孔
９    鉤ホック
１０  金ホック受け金
１１  折り返し線
１２  上襟
【図１】
0003125210.tif 000003
【図２】
0003125210.tif 000004
【図３】
0003125210.tif 000005
(57)【要約】【課題】カード番号及び暗証番号が隠しカメラや他人の視覚などにより盗まれカード被害者がでているこれにともなつて本発明はこれらの問題を減少させるためになされたものである。【解決手段】（イ）ケース本体１にプラスチック板２を設ける。（ロ）ケース本体１にタッチキャップ５を取り付けその両面を隠すためスポンジ３を取り付ける。（ハ）プラスチック板１１を可動させプラスチック板１１に設けた１２から画面上の数字を確認する。スポンジ３に目印Ａ〜Ｅを設ける。（ニ）スライド装置４でカードの出し入れをスムーズにする。  上記（イ）〜（ニ）が問題を解決するための手段である。【選択図】図１
0003125205.tif 000002
【実用新案登録請求の範囲】
【請求項１】
（イ）ケース本体１にプラスチック板２を設ける。
（ロ）ケース本体１にタッチ用キャップ５を設ける。
（ハ）ケース本体１にタッチ用キャップ５隠すためのキャップ位置確認用記号の付いたスポンジ３を設ける。
（二）ケース本体１に操作画面を隠すためのプラスチック板１１を設ける。
（ホ）ケース本体１にスライド装置４を設ける。
以上のように（イ）〜（ホ）がケース本体１に装備されたカードケース
【考案の詳細な説明】
【技術分野】
【０００１】  本考案は、暗証番号を必要とするカードに使用するカードケース及びカードのセキュリティに関する。
【背景技術】
【０００２】  従来カード番号及び暗証番号の保護方法は無くカード機使用時に番号が他人に認識されてカード犯罪に利用されている。
【考案の開示】
【考案が解決しようとする課題】
【０００３】  これまでは、次のような問題があった。
カード番号及び暗証番号が隠しカメラや他人の視覚などにより盗まれカード被害者がでているこれにともなつて本考案はこれらの問題を減少させるためになされたものである。
【課題を解決するための手段】
【０００４】  （イ）ケース本体１にプラスチック板２を設ける。
（ロ）ケース本体１にタッチキャップ５を取り付けその両面を隠すためスポンジ３を取り付ける。
（ハ）プラスチック板１１を可動させプラスチック板１１に設けた１２から画面上の数字を確認する。スポンジ３に目印Ａ〜Ｅを設ける。
（ニ）スライド装置４でカードの出し入れをスムーズにする。
上記（イ）〜（ニ）が問題を解決するための手段である。
【考案の効果】
【０００５】  カードの挿入引き抜き時プラスチック板２によってカード番号の確認が困難になる。
カード番号、暗証番号がぬすまれずらくなる。とくにもタッチパネル操作は指の操作のため番号の確認が容易であったが本考案により押し位置をスポンジ３とプラスチック板１１で隠すことで番号の認識を困難にする。
本考案のケースにより他人によるカード番号及び暗証番号の不正使用ができないと共に保護ができる考案である。
【考案を実施するための最良の形態】
【０００６】  本考案の実施例について説明する。
（イ）プラスチック板２はケース本体１と同時成型されたあと折線６で可動できるようにする。ケース本体１にカード番号を遮るためのプラスチック板２を設けることによりカード挿入，引き抜き時にカード番号などの個人情報が認識が出来ないようにする。
（ロ）画面操作用タッチキャップ５は５箇所のキャップ取り付け部１０に移動可能なためこの事により、番号の確認がより難しくなる。
ケース本体に画面操作用タッチキャップ５を取り付けその両面を隠すためのスポンジ３を取り付ける事により番号が他人に確認しずらくなる。スポンジ３はタッチキャップ５が見えないよう色つきにする。
（ハ）カード受け取り時も番号保護するために機械からの引き抜き時にスライド装置４でカードをはさみこみ引き抜く事でカード番号などを見られずにカード収納が出来る。スライド装置４はゴム部８を押すことでカードをはさみこみ引き抜くことが出来る。
（二）押え部７は本体１と同時成型の後、折りたたみ可能のための折線９を加工する。
（ホ）画面操作の際，操作する数字が変化する機種に対しては，数字その物が周りから確認出来ないようプラスチック板１１を可動させ対処する。尚、詳細図Ｇによりプラスチック板１１の可動が出来る構造である。
（ヘ）全材質は軟プラスチックなど
【図面の簡単な説明】
【０００７】
【図１】  本考案の正面図である。
【図２】  本考案のＡ方向面図
【図３】  本考案のＢ方向面図
【図４】  本考案のＣ方向面図
【図５】  本考案のＤ方向面図
【符号の説明】
【０００８】  １    本体
２    プラスチック板
３    スポンジ
４    スライド装置
５    タッチ用キャップ
６    折線
７    押え部
８    すべり止めゴム
９    折線
１０  タッチ用キャップ取り付け部
１１  可動式プラスチック板
１２  １１の一部を切り取った窓
Ａ    方向指示
Ｂ    方向指示
Ｃ    方向指示
Ｄ    方向指示
Ｆ    詳細別記
Ｇ    詳細別記
ア    詳細別記
イ    詳細別記
ウ    詳細別記
【図１】
0003125205.tif 000003
【図２】
0003125205.tif 000004
【図３】
0003125205.tif 000005
【図４】
0003125205.tif 000006
【図５】
0003125205.tif 000007
【図６】
0003125205.tif 000008
(57)【要約】      （修正有）【課題】座席の乗り心地が良く、且つ車輪回転の労力を軽減した車椅子を提供する。【解決手段】複数の磁気浮上緩衝体からなる磁気浮上座席部を有し、駆動レバーの駆動によって走行可能とする車椅子であって、前記磁気浮上緩衝体の少なくとも上部には銅板等からなる磁気遮断層を形成して構成され、利用者への室内の床面や歩道や車道表面の凹凸が車椅子の車輪、フレーム及び座席を介して伝わる振動を軽減すると共に、利用者が各種の電子機器をもったままでも何ら障害を起こさずに車椅子を操作できる。【選択図】図１
0003125244.tif 000002
【実用新案登録請求の範囲】
【請求項１】
複数の磁気浮上緩衝体からなる磁気浮上座席部を有し、駆動レバーの駆動によって走行可能とする車椅子であって、前記磁気浮上緩衝体の少なくとも上部には銅板等からなる磁気遮断層を形成することを特徴とする車椅子。
【考案の詳細な説明】
【技術分野】
【０００１】
本考案は、車椅子に関するものである。
【背景技術】
【０００２】
近年、車椅子利用者のために室内の床面をバリアフリーとして、段差を低減する施工がなされている。また、戸外の歩道や車道との段差をなくす施工も実施されている。しかしながら、車椅子の利用者にとっては室内の床面や歩道や車道表面の凹凸が車椅子の車輪、フレーム及び座席を介して振動として伝わり、乗り心地は良くないものであった。しかも、車輪の回転枠を利用者自身の手で回し続ける必要があり、特に老年の利用者には大きな負担であった。
【０００３】
そこで、本考案者は、実用新案登録第３０８０６９７号「磁気浮上座席と手動駆動装置」において、座席の乗り心地が良く、且つ車輪回転の労力を軽減した車椅子を提案した（特許文献１参照。）。
【特許文献１】実用新案登録第３０８０６９７号公報
【考案の開示】
【考案が解決しようとする課題】
【０００４】
しかし、上記の実用新案登録第３０８０６９７号に記載されている車椅子の場合、磁石の磁気に対して何らの防御手段が講じられておらず、利用者が携帯する電子機器などに誤作動が生じやすいという問題点があった。
【０００５】
とくに、高齢者の場合、補聴器などを使用したままの利用であり、機器の誤動作などは危険を伴う虞があった。
【０００６】
本考案は、上記問題点に鑑みなされたものであり、先に出願登録した車椅子をさらに改良して発展させ、利用者が各種の電子機器をもったままでも何ら障害を起こさず、安全に利用できる車椅子を提供することを目的とする。
【課題を解決するための手段】
【０００７】
このため本考案の車椅子は、複数の磁気浮上緩衝体からなる磁気浮上座席部を有し、駆動レバーの駆動によって走行可能とする車椅子であって、前記磁気浮上緩衝体の少なくとも上部には銅板等からなる磁気遮断層を形成することを特徴とする。
【考案の効果】
【０００８】
本考案の車椅子は、以上のように構成されているので、磁気浮上緩衝体の少なくとも上部には銅板等からなる磁気遮断層を形成しているため、携帯型の電子機器などを持った乗車しても誤作動などを生じることが無いというすぐれた効果を有する。
【考案を実施するための最良の形態】
【０００９】
以下、本考案の実施の形態を、図面に示す実施例に基づいて説明するが、本考案が本実施例に限定されないことは言うまでもない。図１は、本考案に係る車椅子の一実施例を示す正面図、図２は図１のＡ−Ａ線断面説明図である
【実施例】
【００１０】
図１、図２に示すように、本考案の車椅子１の磁気浮上座席部は、座席本体２と、座席シート部３にそれぞれ嵌入して取り付けられた磁石４、５がＮ極或いはＳ極の同極対向して配置された磁気浮上緩衝体とから構成され、しかも座席シート部３の磁石５上部には銅板からなる磁気遮蔽層６が設けられている。この磁石４、５の反発によって座席シート３への振動を軽減し、車椅子１の利用者への身体的な負担を軽減可能とする。
【００１１】
しかも、上記座席シート３の磁石５の上部には銅板製の磁気遮断層６が設けてあり、磁石４及び５からの磁気を遮断可能とし、車椅子１の利用者が使用する携帯型電子機器等の磁気による誤作動を防止しする。
【００１２】
また、車椅子１の駆動は、利用者が駆動レバー７を前後に所定の角度で動かすことによって後輪９に設けられた歯車等の駆動機構（図示せず）を駆動して後輪９を回転させることにより可能となる。そして、手動ブレーキ８の操作によって停止できる。尚、本実施例においては磁気遮断層６を座席シート３の磁石５上部に設けた例で説明したが、磁気遮断層６を座席本体２の下部などに設けてもよい。
【００１３】
以上、本考案による車椅子によれば、複数の磁気浮上緩衝体からなる磁気浮上座席部を有し、駆動レバーの駆動によって走行可能とするため、室内の床面や歩道や車道表面の凹凸が車椅子の車輪、フレーム及び座席を介して伝わる振動を軽減し、しかも前記磁気浮上緩衝体の少なくとも上部には銅板等からなる磁気遮断層を有しているため利用者が携帯する電子機器などに誤作動が生じない。
【図面の簡単な説明】
【００１４】
【図１】本考案に係る車椅子の一実施例を示す斜視図である。
【図２】図１のＡ−Ａ線断面説明図である。
【符号の説明】
【００１５】
１          車椅子
２          座席本体部
３          座席シート部
４、５      磁石
６          磁気遮断層
７          駆動レバー
８          手動ブレーキ
９          後輪
【図１】
0003125244.tif 000003
【図２】
0003125244.tif 000004